(57)【要約】【課題】本発明は、取り外し可能なマガジンから固定具を打ち込む工具を提供する。【解決手段】工具１２は、基端部と末端部とを備える工具ハウジング１３２と、該工具ハウジング１３２に取り囲まれる動力源１３０とを有する。鼻部材９２は、工具ハウジング１３２に取り付けられ、チャネル（通路）および第一整列機構を有する。マガジン１０は、工具１２に取り外し可能に取り付けられ、マガジンハウジング２２およびシャーブロック２０を有し、該シャーブロック２０はマガジンハウジング２２の基端部へ取り付けられる。シャーブロック２０上には、第二整列機構および面があり、チャネルおよび面は、第一整列機構が第二整列機構と係合され且つマガジン１０が工具１２に取り外し可能に取り付けられるときに、筒部７２を形成する。工具１２が発射されると、固定具は、動力源により筒部７２を通して製作品１６内に動かされる。【選択図】　　　図１
2004017280.tif 000002
【特許請求の範囲】
【請求項１】
取り外し可能なマガジンから固定具を打ち込むための工具であって、
工具ハウジングと、
前記工具ハウジングにより囲まれる動力源と、
前記工具ハウジングに取り付けられ、チャネルと第一整列機構を有する鼻部材と、
前記工具に取り外し可能に取り付けられるマガジンとを具備し、
前記マガジンは、基端部および末端部を有するマガジンハウジングと、前記マガジンハウジングの前記基端部に取り付けられるシャーブロックとを有し、
前記シャーブロックは、第二整列機構と、面とを有し、
前記チャネルおよび前記面は、前記第一整列機構が前記第二整列機構と係合されときに筒部を形成し、
前記マガジンは、前記固定具が前記筒部を通して前記製作品内へ前記動力源により動かされるように、前記工具に取り外し可能に取り付けられる、工具。
【請求項２】
前記マガジンハウジングは、少なくとも第一側部レールと第二側部レールとを具備する、請求項１に記載の工具。
【請求項３】
前記シャーブロックは、前記第一側部レールおよび前記第二側部レールの基端部との間で挟み込まれる、請求項２に記載の工具。
【請求項４】
前記シャーブロックは、前記第一側部レールおよび前記第二側部レールの少なくとも一つ上の第二位置決め要素と係合可能な第一位置決め要素を具備する、請求項３に記載の工具。
【請求項５】
前記第一位置決め要素は脚部上に配置される、請求項４に記載の工具。
【請求項６】
前記第一側部レールおよび前記第二側部レールは、互いに相補的な形態である舌部と溝部とを備える、請求項２に記載の工具。
【請求項７】
さらに、前記シャーブロックが前記第一側部レールと前記第二側部レールとの間に挟み込まれるときに、前記第一側部レールの頂縁を前記第二側部レールの頂縁へ結合する固定手段を具備する、請求項３に記載の工具。
【請求項８】
前記固定手段は終端キャップを具備する、請求項７に記載の工具。
【請求項９】
さらに、第一側部レールおよび第二側部レールの末端部で、前記マガジンに取り外し可能に取り付けられる終端キャップを具備する、請求項１に記載の工具。
【請求項１０】
前記シャーブロックは、さらに、前記固定具の突き通す深さを指し示すマークを具備する、請求項１に記載の工具。
【発明の詳細な説明】
【０００１】
【発明の属する技術分野】
本発明は、携帯可能な燃焼式固定具打ち込み工具、特に、このような工具用の交換可能なマガジンに関する。
【０００２】
【従来の技術】
製作品内に固定具を打ち込むために使用される、携帯可能な燃焼式工具は公知である（特許文献１，２，３，４，５，６，７参照）。特に装飾用途のためにデザインされたこのような燃焼式工具は公知である（特許文献８参照）。同様の燃焼式の釘打ち込み工具およびステープル打ち込み工具は、ＩＭＰＵＬＳＥ商標でＩＴＷ−Ｐａｓｌｏｄｅ社から入手可能である。
【０００３】
このように工具は、小さな内燃エンジンを囲む、全体的に銃形状の工具ハウジングを有する。エンジンは、燃料セルとも称される加圧された燃料ガスの容器により動力が供給される。蓄電池式電力分配ユニットまたは送電ユニットは、点火のための火花を生成し、燃焼チャンバー内に配置されるファンは、チャンバー内の効率的な燃焼を提供し、また、燃焼生成物の排気を含む掃気も容易にする。エンジンは、往復運動するピストンを有し、該ピストンは、シリンダー本体のピストンチャンバー内に配置される細長く硬質な打ち込みブレードを有する。
【０００４】
燃焼チャンバーの壁部は、バルブスリーブに関して軸方向の往復運動が可能であり、鼻部材の端部の製作品接触要素または鼻部材組立体がリンク機構に結合され製作品に押圧されるとき、リンク機構と通して、燃焼チャンバーを閉鎖するように動く。また、この押圧動作は、燃料セルから燃焼チャンバー内への規定された容積の燃料ガスの挿入を引き起こす。
【０００５】
燃焼チャンバー内のガスの点火を引き起こす引き金が引かれると、ピストンおよび打ち込みブレードは、所定に位置に配置された固定具と衝接し固定具を製作品内へ打ち込みように、下側方向へ動かされる。ピストンが下側へ動かされると、ピストンの下側でピストンチャンバー内に囲まれた押しのけ容積は、シリンダーの下端部に備えられた一つ以上の排出ポートから強制的に排出される。衝接後、シリンダー内のガスの圧力差により、ピストンは元の位置または”準備”位置へ戻る。固定具は、供給組立体から鼻部材筒部へ送り込まれ、供給組立体では、固定具が、打ち込みブレードの衝接を受け入れるように適当な配置方向で保持される。固定具は、打ち込みブレードにより筒部の長さに亘り動かされ、製作品表面で筒部から抜け出る。打ち込みブレードの力および固定具の動きは、固定具を製作品に突き通すように打ち込む。
【０００６】
固定具を供給するのに好都合な方法は、マガジンを通して筒部に連続的に固定具を送り込むことである。マガジンが空になると、該マガジンは釘用銃から取り外され、作業を継続するために再充填および再設置される。マガジンが助手により再充填されるか、または、後で補充するように保管される間においても職人が作業を継続できるように複数のマガジンがしばしば使用される。多くの異なったタイプの固定具間での取り替えが、しばしば必要とされる。例えば、釘においては、一般的なものまたはＰｏｓｉｔｉｖｅ　Ｐｌａｃｅｍｅｎｔ（登録商標）用のもの、クリップ頭のもの、Ｒｏｕｎｄｒｉｖｅ（登録商標）用のものまたは多様な長さのものがある。打ち込みブレードの衝接を受け入れように適当な方向に固定具を保持するマガジンおよびシャーブロック領域（せん断領域）のジオメトリー（形態）により、特定のマガジンまたはシャーブロック領域に適合する固定具のタイプが決まる。
【０００７】
工具の発射は、打ち込みブレードが固定具に突き当たり製作品内へ固定具を打ち込むときに、大きな衝撃および振動を引き起こす。コンポーネント部品を適当に整列保持するように締め付けることがしばしば要求されるシャーブロック領域に近接するネジは、振動により緩む傾向がある。このため、通常、マガジンは単一の構造とされてきた。従来技術においては、複数の構成品を有するマガジンは、シャーブロック（せん断ブロック）近隣でネジにより固定されている。多くの場合、マガジンの側部レールを結合するネジは、長期間の振動の繰り返しにより緩んでしまう。このようなマガジンの使用においては、固定具を締め付ける必要があるかどうかを決めるために、マガジンを定期的に点検しなければならない。この監視の必要性は、最も不便である。
【０００８】
単一部品のマガジンは、マガジンの解体を排除しようとして当該技術分野において使用されてきた。しかし、単一部品で作られるユニットは、非常に重くなるか、または、製造に非常にコストがかかることがわかっている。マガジンの側部の窓部は、重量を軽減するとともに、使用者がマガジンの動作を視覚的に確認することを可能にする。窓部と固定具が通過する内部空洞部とを造るために、単一部品のマガジンを、打ち抜き、穴あけまたは型成形することは容易ではない。このタイプのマガジンを製造するためには、より高価な製造技術を使用しなければならない。
【０００９】
従来技術の燃焼式工具は取り外し可能なマガジンを有するが、必ずしも異なった大きさや種類の固定具を取り扱えるように変更可能なものでない。何故ならシャーブロック領域が筒部内に固定具を案内するので、使用可能な固定具のタイプは、シャーブロック領域を取り囲み且つ工具の恒久的な部分となるシャーブロックにより決定されてしまうからである。取り外し可能なマガジンは固定具の好都合な供給の提供のために使用されることが可能であるが、シャーブロック領域が取り替えられないかぎり、ある一つのマガジンから別のマガジンへ変えることで取り扱える固定具の頭部の大きさおよび形状を変更することはできない。
【００１０】
レバーを動かすことにより固定具の長さにおける変更に適応させることは、当該技術分野において知られている。もし、使用者がレバーを動かすことを忘れたり、または、誤った場所に設定した場合、固定具は工具の筒部内で詰まってしまう可能性がある。その時は、作業が再開される前に、詰まりを除去するために筒部が開けられなければならない。固定具の直径または頭部の形状の変更に適応するためにレバーを使用することで、同様の結果をもたらしうることも考えられる。
【００１１】
シャーブロックが工具の中に含まれていることは、シャーブロックが損傷した場合、工具の使用を不能する。もし、シャーブロックの修理または交換が必要な場合、工具全体が修理期間の間使用不能になり、使用者は予備としての、もう一つの工具を持つことが必要となるか、または、さもなければ工具が使用可能になるまでの間、仕事の予定を変更することが必要になる。
【００１２】
【特許文献１】
再発行米国特許第３２，４５２号
【特許文献２】
米国特許第４，４０３，７２２号
【特許文献３】
米国特許第４，４８３，４７３号
【特許文献４】
米国特許第４，４８３，４７４号
【特許文献５】
米国特許第４，５５２，１６２号
【特許文献６】
米国特許第５，１９７，６４６号
【特許文献７】
米国特許第５，２６３，４３９号
【特許文献８】
米国特許第６，０１６，６２２号
【００１３】
【発明が解決しようとする課題】
このように、当該技術分野においては、異なった大きさやタイプの固定具に適応する、工具用の取り外し可能なマガジンの必要性がある。また、シャーブロック付近に、振動に緩んでしまうようなネジのないマガジンの必要性がある。さらに、工具に異なったマガジンを単に取り付けることによりシャーブロックを変更できるように、シャーブロックが一体化されたマガジンに適応する工具の必要性がある。
【００１４】
【課題を解決するための手段】
本発明は動力工具用の取り外し可能なマガジンを特徴とし、該マガジンは、異なった大きさまたはタイプの固定具を保持し、同一の工具で使用するための同様のマガジンと交換可能である。
【００１５】
さらに、本発明は取り外し可能なマガジンから固定具を打ち込むための工具を提供する。工具は、基端部と末端部とを有する工具ハウジングと、該ハウジングにより囲まれる動力源とを有する。鼻部材は、ハウジングに取り付けられ、チャネル（通路）および第一整列機構を有する。マガジンは工具に取り外し可能に取り付けられ、マガジンハウジングと、該マガジンハウジングの基端部に取り付けられるシャーブロック（せん断ブロック）とを有する。シャーブロックは第二整列機構と面とを有し、第一整列機構が第二整列機構と係合し、且つ、マガジンが工具に取り外し可能に取り付けられているとき、第二整列機構と面とは筒部を形成する。工具が発射されると、固定具は、動力源により筒部を通して製作品内に動かされる。
【００１６】
固定具がマガジンから筒部内へ動かされるとき、固定具はシャーブロックを通過し、該シャーブロックは、特定の大きさおよびタイプの固定具用に形成され、発射のために筒部内で固定具を適当に整列することを援助する。シャーブロックがマガジン上に取り付けられることにより、マガジンが取り替えられるごとにシャーブロックを変更することが可能であり、異なった固定具への迅速な変換を可能にする。手動によるレバー位置の確認、レバーの変更または、互換性がないレバー位置が選択された場合の詰まりの除去により貴重な時間が費やされることはない。
【００１７】
好適な実施例においては、二部品を有する構造のマガジンが使用される。マガジンハウジングは、互いに交配して係合する第一側部レールおよび第二側部レールで作られる。第一側部レールおよび第二側部レールが互いに取り外し可能に取り付けられるとき、シャーブロックは、第一側部レールおよび第二側部レールの各基端部の間で保持される。
【００１８】
マガジンが二部品で構成されていることは、従来技術を越える多くの利点をもたらす。マガジンを軽量化するために各レールに配置される窓部は、材料の厚みが一様であるとき、打ち抜き型により打ち抜かれることが可能である。単一部品のマガジンにおいては、打ち抜き型による打ち抜きは不可能である。窓部は一般的に各窓部を機械加工することにより得られ、より多くの労力と、より高いコストをもたらす。組立前に、各側部レールが打ち抜き型により打ち抜かれるとき、マガジンは、単一部品のマガジンと比較し低コストで、より軽く、より迅速に作られることができる。さらに、二部品のマガジンにより、各側部レールを独立して交換できるので、より経済的な修理が可能となる。
【００１９】
マガジンは、一方の側部レール上の舌部を他方の側部レールの底縁上の溝部に係合することにより容易に組み立てられ、次ぎに、マガジンの上端部に固定具が提供される。筒部の近隣で一緒にマガジンを保持するために固定具が使用されるとき、該固定具は、工具の各発射ごとの衝撃および振動により緩められる。舌部と溝部との組立体を使用することにより、固定具が緩まない方法で一緒にマガジンを保持する。また、この構造においては必要とされる固定具は少数であるがため、マガジンは容易に組み立てられる。
【００２０】
【発明の実施の形態】
図１を参照すると、交換可能なマガジン１０は、固定具１４を製作品１６内へ打ち込むための工具１２に用いるように形成されている。多くの異なったタイプの固定具１４がこのタイプの工具１２には有益であり、これらの多くの異なったタイプの固定具のいかなる固定具もこのタイプの工具に適する。いろいろな長さを有する通常の釘１４と同様に、クリップ釘およびＰｏｓｉｔｉｖｅ　Ｐｌａｃｅｍｅｎｔ用釘が使用され、該Ｐｏｓｉｔｉｖｅ　Ｐｌａｃｅｍｅｎｔ用釘は、飾り釘に加えて金属フレームへ突き通すように形成されている。”釘”という単語は、工具により打ち込まれる固定具１４と工具自身の一部となる他の固定具とを区別をするために、ここ以降の説明の中で使用される。この単語を使用することにより、工具１２に使用可能な固定具１４の選択を制限するつもりはない。固定具１４がマガジン１０内に積み込まれるとき、各マガジン内の全ての固定具は一様なものである。
【００２１】
図１に示されているマガジン１０は、シャーブロック（せん断ブロック）２０およびマガジンハウジング２２を有する。好ましくは、シャーブロック２０およびマガジンハウジング２２は独立して構成されるが、シャーブロック２０が一体化されたハウジング２２が本マガジン１０に使用されてもよい。
【００２２】
図２から図５に示されている一つの実施例においては、マガジンハウジング２２は、二部品から構成されている。第一側部レール２４は、頂縁２６、底縁３０、基端部３２および末端部３４を有する。第二側部レール３６は、頂縁４０、底縁４２、基端部４４および末端部４６を有する。第二底縁４２は、固定具を使用することなしに、第一側部レール２４の底縁３０に取り外し可能に取り付けられる。第一側部レールと第二側部レールとが互いに取り外し可能に取り付けられるとき、シャーブロック２０は、第一側部レール２４および第二側部レール３６の各基端部３２および４４との間で保持される。シャーブロック２０は第一位置決め要素４７を有し、該第一位置要素は、第一側部レール２４および第二側部レール３６の少なくとも一つの上の第二位置決め要素４８と係合する。任意ではあるが、第一位置決め要素４７と第二位置決め要素４８とが互いに係合し、且つシャーブロック２０が第一側部レール２４と第二側部レール３６との間で差し込まれるとき、少なくとも一つの閉鎖手段４９は第一側部レール２４の頂縁２６を第二側部レール３６の頂縁４０に保持する。
【００２３】
好ましくは、第一側部レール２４および第二側部レール３６は、押し出しアルミニウム構造で作られる。金属は、比較的に安価で、頑丈で、所望の形状に容易に形成されるので、製造に好適な材料である。アルミニウムは、軽量化するのに好適な金属であるが、鋼や、特にステンレス鋼のような他の材料も考えられる。また、側部レールの製造に対しては、特にプラスチックのような他の材料の使用も考えられる。最も好適な材料は、窓部５０、空洞部５２、開口部５４または他の細部が、このような細部の機械加工と比較し製造コストを下げるように各側部レール２４，３６内で打ち抜き型により打ち抜かれるか、または型成形されることを可能にする材料である。押し出し成形は、安価で側部レール２４、３６を作るのに好適な方法であるが、側部レールの製造に用いられる材料に適した任意の方法が使用可能である。
【００２４】
基端部３２，４４は、マガジン１０が使用のために工具１２に設置されたときに、製作品１６に最も接近する端部である。反対側の端部にある末端部３４，４６は、釘１４が概してＴ形状のスロット５３（図３）を通してマガジン１０内へ積み込まれるときに該釘１４が通る端部である。マガジン１０が組み立てられるとき、第一側部レール２４の基端部３２は、第二側部レール３６の基端部４４と近接し、第一側部レール２４の末端部３４は、第二側部レール３６の末端部４６に近接する。マガジン１０内に保持される釘１４が連続的に使用されるように、各釘は、当該技術分野において知られているように例えば後述されるような付勢スプリングにより末端部３４，４６から基端部３２，４４の方へ動かされる。
【００２５】
マガジン１０が、工具１２上にあって製作品１６に使用するための準備が整っているとき、底縁３０，４２は、製作品１６に最も近接する基端部３２，４４から末端部３４，４６へ延在する。頂縁２６、４０は、底縁３０，４２と対向し、基端部３２，４４から末端部３４，４６へ延在する。頂縁２６，４０は、底縁３０，４２より、製作品から離れている。
【００２６】
図４，５（ａ），５（ｂ）に最もよく示されているように、第一側部レール２４の底縁３０および第二側部レール３６の底縁４２は、固定具を使用すること無しに、互いに取り外し可能に取り付け可能である。一実施例においては、底縁３０，４２は、舌部６０と溝部６２との相補的な係合により互いに取り外し可能に取り付けられる。第一側部レール２４の底縁３０に沿った舌部６０は、第二側部レール３６の底縁４２に沿った溝部６２と交配的に係合する。以上、特定のマガジンの態様を示してが、第二側部レール３６上に舌部６０を有し、第一側部レール２４上に溝部６２を有するマガジンも全く同様の機能をなしうる。好ましくは、舌部６０および溝部６２は、側部レール２４，３６の長さ全体に沿って延在するが、工具１２が繰り返し発射されることにより発生する応力を受けても、二つの側部レール２４，３６が一緒に保持されるように舌部６０と溝部６２との間で十分に相補的な係合をしているかぎり、側部レール２４，３６の長さ全体に沿って延在している必要はない。
【００２７】
図４，５（ａ），５（ｂ）をさらに参照すると、複数の固定具１４がマガジン１０の内側に嵌め込まれるように形成されており、マガジンは固定具を保持するのに十分な大きさの内部空洞部６４を有することが必要とされる。マガジン１０の深さは、頂壁６６と底壁７０とにより形成される。頂壁６６と底壁７０との両方が第一側部レール２４の一部分であるように示されているが、多くの同等に満足する配置が可能である。頂壁６６が側部レール２４，３６の一方の一部分に形成され、底壁が他方の側部レールの一部分に形成されることが可能であり、または、頂壁６６と底壁７０との両方が第二側部レール３６から形成されることも可能である。工具１２の方へ釘１４を挿入し動かすために内部空洞部６４内に十分な空間を提供するいかなる配置も本発明の使用に適する。
【００２８】
図１および図２に示されるように、工具を使用するために工具１２にマガジンが設置されたとき、マガジン１０は、マガジン１０の末端部３４，４６が基端部３２，４４より高い位置にある状態で、すなわち、製作品１６から、より離れた状態で、筒部７２に対して角度αで角度付けられている。この配置は、重力が工具１２の方への釘１４の動きを援助することを可能とする。マガジン１０が角度付けられて設置されることは、当業者により、よく知られているが、その角度αは好ましくは２０度から４０度の範囲内である。
【００２９】
任意ではあるが窓部５０が切り取りによって側部レール２４，３６内に形成され、レール２４，３６の重量を軽減し、使用者がマガジン１０内の釘１４の動きを見ることを可能にする。例えば、もし、固定具１４がマガジン１０内で詰まったならば、詰まりはマガジンの外側から観察可能であり、使用者がマガジンを完全に分解しなければならないような事態を回避する。
【００３０】
マガジン１０は、第一側部レール２４および第二側部レール３６の各々の頂縁２６，４０に沿った少なくとも一つの閉鎖機構４９により結合される。好ましくは、閉鎖機構４９（図２）は、側部レール２４，３６の末端部３４，４６の方に配置される一つ以上のネジである。この配置においては、ネジ４９を側部レール２４，３６の基端部３２，４４から離れて設置し、そこでは、ネジは、釘１４との衝接の衝撃と釘１４の打ち込みの衝撃とにより振動する可能性は少なく、ネジ４９の振動および緩みを導くことも少ない。
【００３１】
図２，図４、図５（ａ）および図５（ｂ）を再度参照し、トラック７６は、好ましくは、第二側部レール３６の外側面で延在する。フォロワ（従動）組立体８０（図２）は、釘１４が工具１２内に供給されるように、トラックに沿って滑動する。フォロワ（従動）組立体８０は当業者により、よく知られている。一つの好適なフォロワ組立体８０は、第二側部レール３６の外側面上のトラック７６上で保持され、マガジン１０を通して末端部４６から基端部４４の方へ釘１４を押す。第一側部レール２４および第二側部レール３６は、これらの間で複数の釘１４を保持するために適当な大きさで形成される。第一側部レール２４上の”Ｃ”形状のチャネル（通路）８２は、釘頭部と係合することによりマガジン１０の長さ方向に沿って内部空洞部６４を通して釘１４を案内する。少なくとも一つの全長に亘る窓部８４は、好ましくは、フォロワ組立体８０の一部分がマガジン内部の釘１４に達し、工具１０の方へ釘を押すことを可能にするために、マガジン１０の長さ方向に亘って実質的に延在する。マガジン１２が空になったとき、フォロワ組立体８０はマガジン１０の末端部４６へ置きなおされ、マガジンに釘１４が補充される。好ましくは、釘１４は、釘ストリップ８６（図６）の形態で供給され、通常、釘ストリップ８６は、紙またはプラスチックのストリップに付けられた複数の釘を有する。ストリップ８６は、釘１４が内部空洞部６４に沿って動き、製作品１６内への放出のために連続的に筒部７２内へ送り込まれるように、釘１４を適当な所定位置で保持する。
【００３２】
図２から図６を参照すると、シャーブロック２０は、マガジン１０の基端部３２、４４で、第一側部レール２４と第二側部レール３６との間で保持される。マガジン１０が工具１２に設置されると、シャーブロック２０の面８８は、鼻部材９２のチャネル９０に隣接する。面８８およびチャネル９０は、筒部７２を形成するように形づくられており、該筒部を通して固定具１４は製作品１６内へ打ち込まれるように動く。釘がマガジン１０から筒部７２内へ移動するように、釘１４は、シャーブロック領域９４（図２）を通して、且つ、鼻部材９２に隣接するシャーブロック２０内の開口部９６を通して動く。
【００３３】
シャーブロック領域９４は、特定の大きさまたはタイプの釘を受け入れるように形作られている。特定のシャーブロック２０で使用されることが意図されていない釘１４が使用されると、シャーブロック領域９４が適当な大きさまたは形状でないことにより、釘１４が適当に送り込まれず工具１２の詰まりを引き起こす。シャーブロック２０に対して釘１４が大きすぎると、釘は、釘が高すぎるか、または幅があり過ぎて通過できない通路を遮蔽する。釘１４が小さすぎる場合においては、釘は筒部７２の側部から跳ね返され、打ち込みブレード（図示されていない）が降下し始めるまでに、部分的にシャーブロック領域９４へ再突入する可能性がある。釘１４がシャーブロック２０のシャーブロック領域９４内に部分的にしか置かれない場合でさえ、釘１４上での打ち込みブレードの衝接は釘を下方向へ押し、釘はシャーブロック２０と筒部７２との間に詰め込まれ、工具１２を動けなくする。
【００３４】
本発明においては、シャーブロック２０が工具１２ではなくマガジン１０に担持されるように適用されているがゆえに、詰まりは減ずる。本発明のマガジン１０においては、釘１４の分類に適応するようにシャーブロック２０を変更することは容易である。シャーブロック２０は、工具１２の筒部７２に隣接する開口部９６を設置することにより、マガジン１０に設置される。少なくとも一つの第一位置決め要素４７および第二位置決め要素４８により、シャーブロック２０が第一側部レール２４または第二側部レール３６に当接して正しく設置されることが援助される。第一位置決め要素４７は、シャーブロック２０の一部分に配置され、該シャーブロック２０は、マガジン１０が組み立てられるとき、第一側部レール２４または第二側部レール３６と接触しうる。好ましくは、第一位置決め要素４７はボスまたは他の突出物である。第二位置決め要素４８は、第一側部レール２４または第二側部レール３６のどちらかに配置され、第一位置決め要素４７と交配的に係合するように形成配置される。第二位置決め要素が適当に配置され適当な位置でシャーブロック２０を保持するときに、第二位置決め要素４８が第一位置決め要素４７を捕まえてさえすれば、第二位置決め要素が穴部として示されているが、任意の窓部、開口部、空洞部または止め金でも第二位置決め要素として適する。
【００３５】
好適な実施例においては、高い信頼性を有して所望の位置にシャーブロック２０を保持するように、複数の第一位置決め要素４７が複数の第二位置決め要素４８と結合する。工具１２の毎回の発射によりシャーブロック２０を通して震える振動および衝撃は、ブロックを除去しようとする。第一側部レール２４と第二側部レール３６との間のシャーブロック２０の摩擦係合と、摩擦力を増すための複数の位置決め機構４７、４８の使用により、シャーブロック２０のしっかりとした設置と、ブロックの動きによる詰まりまたは摩耗の低減とを確実にする。
【００３６】
シャーブロック２０は、工具１２が発射されるときにかかる力に耐えうる任意の材料から作られる。製造の材料としては金属が好適であり、アルミニウムまたは鋼が含まれるが、これらに制限されることはない。金属は、任意ではあるが、硬化処理、防錆処理または他の所望の特性を与える処理がなされる。最も好ましくは、シャーブロックは、焼き流し精密鋳造鋼で作られる。また、シャーブロック２０の製造は、耐熱性または高強度重合体、セラミックスおよび、この適用に適する任意の他の材料が含まれる他の材料でもよい。
【００３７】
図３および図６に示されるように、シャーブロック２０は、好ましくは、一つ以上の脚部１００（図６）を有し、該脚部１００は、シャーブロック２０の安定性を改良し、特に多数の第一位置決め要素が使用されている場合に都合のよい第一位置決め要素４７の場所を提供する。脚部１００はマガジン１０が組み立てられるときに第一側部レール２４と第二側部レール３６との間で挟み込まれるように形成される。シャーブロック２０がマガジンに設置されるとき、脚部１００は、マガジン１０の内部のシャーブロック２０から末端部４６の方へ延在する。もし、脚部１００のいかなる部分もシャーブロック領域９４内にあるならば、脚部１００は、釘１４が障害なしに内部空洞部６４から筒部７２へ通過することを可能にするように形成される。好ましくは、シャーブロック領域９４は脚部１００の内側に提供され、脚部は中空になっている。
【００３８】
図１および図３を参照し、一つ以上の第一位置決め要素４７は、少なくとも一つの脚部１００に配置されている。脚部１００に第一位置決め要素４７を設置することにより、第二位置決め要素４８が、側部レール２４，３６の基端部３２，４４の縁１０２（図１）から離れて設置されることを可能にする。もし、第二位置決め要素４８が窓部またはスロットならば、第二位置決め要素４８は、第二位置決め要素４８が側部レール２４、３６により完全に囲まれるように、縁１０２から距離を置いて設置されなければならない。縁１０２から離れて第二位置決め要素４８を設置することによって、側部レール２４，３６の領域における第二位置決め要素４８の形状や方向性に関する柔軟性がさらに高められ、また、位置決め要素４７，４８が移動せしめられて振動源から離れる。
【００３９】
シャーブロック２０と、第一側部レール２４および第二側部レール３６との間で、第一位置決め要素４７と第二位置決めレール４８とを整列し、第一側部レールおよび第二側部レールの舌部６０と溝部６２とを整列し、閉鎖機構４９とマガジンとを一緒に保持するように、閉鎖機構４９をマガジンへ取り付けることにより、シャーブロック２０の設置は容易に実現する。シャーブロック２０の設置が容易になることにより、釘１４の大きさ、またはタイプの変更が必要になったときのシャーブロックの交換をしやすくする。
【００４０】
図１から図３を参照し、図７に最もよく示されているように、末端部３４，４６で、任意ではあるが、終端キャップ１０４が、マガジン１０の第一側部レール２４および第二側部レール３６の端部を覆い、マガジン１０の第一側部レール２４および第二側部レール３６に取り外し可能に取り付けられる。終端キャップ１０４は末端部３４、４６を保護し、マガジン１０内への釘ストリップ８６の挿入を援助する。終端キャップ１０４をマガジン１０へ取り付ける方法においては、摩擦係合および固定具の使用が含まれる、いかなる方法も使用可能である。好ましくは、終端キャップ１０４は、ロック部１１０を備える少なくとも一つの可撓性の突起部１０６を有する。突起部１０６は、釘１４の動きを妨害することなく、マガジン１０の内部へ嵌め込まれるような大きさにされ、ロック部１１０が第一側部レール２４または第二側部レール３６のどちらかの窓部５０の一つと係合するように配置される。マガジン１０が再充填されるときにおいては、ロック部１１０を内部空洞部６４の方へ押すことにより、突起部１０６が屈撓して、ロック部が移動して、係合されていた窓部５０から出ることを可能にする。そして、終端キャップ１０４は、マガジン１０から離れるように外側へ引っ張られることにより取り外される。最も好ましくは、終端キャップ１０４は複数の突起部１０６を有し、該突起部１０６は、側部レール２４、３６の複数の窓部５０で固定される。終端キャップ１０４は、所定位置にスナップ式固定されるとき、マガジン１０の第一側部レール２４および第二側部レール３６を一緒に保持することを助け、マガジンの末端部の安定性を増す。もし、固定が十分きっちりとしたものであるならば、終端キャップ１０４はマガジン１０を一緒に保持し、第一側部レール２４と第二側部レール３６とを一緒に保持するための固定具の必要性を排除することが考えられる。
【００４１】
好適な終端キャップ１０４は、終端キャップが設置されるときにマガジン１０に隣接する傾斜が付けられた側部１１２と、該傾斜が付けられた側部と対向する幅広の側部１１４とを有するように形成される。突起部１０６は、内部空洞部６４内への挿入のために、傾斜が付けられた側部１１２から外側方向へ延在する。終端キャップ１０４の幅広の側部１１４内への釘ストリップ８６の挿入は、一つ以上のシェルフユニット１１６の存在により援助され、該シェルフユニットは、釘ストリップを案内し支持する幅広の側部から外側へ延在する。
【００４２】
図６を参照すると、マガジン１０の基端部４６で、シャーブロック２０は、連結機構１２０を有し、該連結機構１２０はマガジンを工具１２上へ正確に位置決めし、釘１４をマガジンから筒部へ連続的に送り込むように、開口部９６（図１）を筒部７２と整列する。当該技術分野において知られている、任意の連結機構１２０の使用が考えられるが、好ましくは、連結機構は、鼻部材９２上の複数の設置ピンであり、該設置ピンはシャーブロック２０の穴部１２４と係合する。
【００４３】
マガジン１０の末端部３４，４６でブラケット１２６（図２）は工具１２に取り付けられ、該ブラケット１２６は、シャーブロック２０およびマガジン１０を所定の位置にしっかりと保持する。もし、マガジン１０が詰まりを起こしたならば、マガジンが連結機構１２０周りに旋回し、部分的に筒部７２を開口するように、ブラケット１２６を緩めることが可能である。マガジン１０がこの位置にあるときにおいては、詰まりは、マガジン全体を取り外すよりも、より早くより簡単に除去可能とされる。連結機構１２０を締め付けることにより、使用者が最小の中断時間で工具１２を作業状態に復帰することを可能にする。
【００４４】
図１を参照すると、マガジン１０が所定の位置にあり、工具１２は固定具１４の製作品１６内への打ち込みに使用されることが可能である。工具の全体的なデザインおよび操作は当業者により、よく知られており、参照として取り込まれた前述の特許に記載されている。動力源１３０は工具ハウジング１３２内に配置される。鼻部材９２は、工具ハウジング１３２へ取り付けられ、マガジン１０に隣接する。マガジン１０を設置することにより、面８８とチャネル９０とにより筒部７２が形成される。固定具１４は、シャーブロック領域９６を通して、マガジンの内部空洞部６４から筒部７２内へ動く。動力源１３０からの動力は打ち込みブレード（図示されていない）にエネルギーを与え、打ち込みブレードは、筒部７２を通して固定具１４を製作品１６内へ動かす。
【００４５】
固定具のタイプを変更する能力を十分に活かすために、時には、工具１２に対して他の変更が必要とされる。普通の釘１４に対しては、単一のアルミニウム製の鼻部材９２が通常使用される。特定タイプの固定具１４が使用されるときは、代替の製作品接触要素１３８が使用され、そのいくつかは他のものよりも重い。一般的に、鼻部材９２の製造に好適な材料は、軽量であるがゆえにアルミニウムであるが、アルミニウムは、より重い製作品接触要素１３８の一つを支持する十分な強度はない。このような場合においては、鋼製の鼻部材９２を利用することが好都合となる。
【００４６】
図６を参照すると、任意ではあるが、鼻部材９２は前面当板（または防摩板）１４４および背面当板（または防摩板）１４６の二つの部品に分離されているので、鼻部材９２は、任意の製作品接触要素１３８とともに利用されることが可能である。前面当板１４４は、製作品接触要素１３８を保持し、鋼で作られており、背面当板１４６は、工具１２が重くなりすぎることを妨げるために、アルミニウムまたは硬化金属シートのような軽量材料で作られることが可能である。本発明のマガジン１０とともに、分離される鼻部材９２を使用することは、マガジン１０およびシャーブロック２０の交換のみならず背面当板１４６および製作品接触要素１３８の交換を可能し、工具１２に一定の柔軟性を提供する。
【００４７】
好適な鼻部材９２は、異なったタイプの釘１４が使用される場合の交換のために取り外し可能な背面当板１４６を有する。釘１４には多くの異なった直径および異なった頭部形態のものがある。丸頭釘１４は円形状の頂上部を有し、クリップ釘はＤ形状の頭部を有する。クリップ釘１４を使用するとき、頭部の丸い部分が筒部７２に入り、丸頭釘とほぼ同じ位置に置かれる。しかし、頭部は平坦な面を有するので、打ち込みブレードは平坦な面の縁へ最も接近する。釘１４または打ち込みブレードのどちらかが位置ずれしたならば、打ち込みブレードは頭部の平坦な縁をはずし、釘１４を完全にはずし、工具１２を動けなくする。より浅いチャネル（溝または通路）９０を有する背面当板１４６に変更することにより、釘１４がチャネル内に深く置かれることを妨げる。釘頭部は、打ち込みブレードに対して、より正確に中心に置かれ、打ち込みブレードが釘１４を外す可能性を減ずる。本発明の一つの実施例においては、丸頭釘用のチャネル９０の深さは、０．８１ｍｍ（０．０３２インチ）であり、クリップ頭釘用のチャネルの深さは、０．３ｍｍ（０．０１２インチ）である。この特徴は、丸頭釘およびクリップ釘という点で記載されたが、多くのタイプの釘に利用可能であることは、当業者により理解されうる。
【００４８】
工具１２の使用を便利にするためのいくつかの任意の特徴が本発明のマガジン１０へ加えられることが可能である。図２に示されように、固定具が打ち込まれうる深さを指し示すように、線または細切れなマーク１５０がマガジン１０へ加えられることが可能である。好適には、マーク１５０はシャーブロック２０上に有する。釘１４がシャーブロック２０に入るとき、釘は、シャーブロック２０の側部の任意の開口部１５２を通して目に見える。マーク１５０は、工具１２が使用中の間は、固定具１４の長さにより部分的に覆い隠される。マガジン１０内の固定具１４の長さは、固定具の長さを越えて見えるマーク１５０の数により判断される。
【００４９】
図２から図５を参照すると、マガジン１０は、シャーブロック２０上の第一位置決め要素４７を、側部レール２４，３６の少なくとも一つの上の第二位置決め要素４８と係合することにより組み立てられ、シャーブロック２０は、使用される固定具１４のタイプとの互換性に基づいて選択される。次ぎに、舌部６０が、底縁３０，４２で溝部６２内に挿入され、頂縁２６，４０がくっつけられ、二つの側部２４、３６の間でシャーブロック２０を挟み込む。側部２４，３６は、閉鎖機構４９、あるいは終端キャップ１０４により、または、これらの両方を設置することにより、一緒に保持される。終端キャップ１０４の設置には、ロック部１１０が側部レール２４，３６の一つの窓部５０または他の開口部５２と係合するまで、傾斜付き側部１１２の突起部１０６を挿入することが含まれる。釘は終端キャップ１０４を通してマガジン１０の内部空洞部６４内へ挿入され、好ましくは、釘ストリップがマガジン１０へ入るとき、シェルフ１１６上で釘ストリップ８６を支持する。もしシャーブロック２０を変更する必要が生じたならば、上記の工程が逆にされ、異なったシャーブロックが使用され、マガジンが再組立される。
【００５０】
釘１４が内部空洞部６４を通して移動するとき、釘は、釘を収容するように形作られたシャーブロック領域９４でシャーブロック２０を通過する。シャーブロック領域９４を通過したのち、釘は工具１２の筒部７２へ入る。工具１２が発射されると、打ち込みブレードによる力は、筒部７２の長さ方向に釘１４を押しながら下方向に移動し、釘１４を製作品１６内へ移動する。
【００５１】
図６を参照すると、マガジン１０は、鼻部材９２上の設置ピン１２０をシャーブロック２０の穴部１２４と結合することにより、工具１２上に設置される。マガジン１０の末端部で、取り付けブラケット１２６は固定具１２５により工具１２に取り付けられる。いくつかの詰まりは、取り付けブラケット１２６を解放し、マガジン１０が設置ピン１２０上で旋回することができるようにすることにより、除去可能となる。他の場合においては、マガジン１０全体を工具１２から取り外されなければならないようなこともある。固定具１４のタイプは、取り付けブラケット１２６を解放し、設置ピン１２０からマガジンを持ち上げることにより、作業中に、容易に変更可能である。新しいマガジン１０が入手され、設置ピン１２０が穴部１１４と整列され穴部１１４内へ挿入され、取り付けブラケット１１６が取り付けられる。マガジン１０が取り外されることにより、異なった製作品接触要素１３８または異なったチャネル９０を適応する必要があるとき、前面当板１４４および背面当板１４６は変更されることが可能である。
【００５２】
工具用の取り外し可能なマガジンの特定の実施例を図示し説明してきたが、より広い態様および特許請求の範囲における発明から逸脱しない変形および変更が可能であることは、当業者により理解されうる。
【図面の簡単な説明】
【図１】本工具の正面斜視図である。
【図２】図１のマガジンの正面斜視図である。
【図３】第二側部レールが取り外された状態の、マガジンの正面斜視図である。
【図４】第一側部レールの側面図である。
【図５】（ａ）第二側部レールの側面図である。
（ｂ）底縁が交配的に係合されている状態の第一側部レールおよび第二側部レールの側面図である。
【図６】図２のシャーブロックおよび鼻部材の部分斜視図である。
【図７】終端キャップの正面図である。
【符号の説明】
１０…マガジン
１２…工具
１６…製作品
２０…シャーブロック
２２…マガジンハウジング
７２…筒部
９２…鼻部材
１３０…動力源
１３２…工具ハウジング
【図１】
2004017280.tif 000003
【図２】
2004017280.tif 000004
【図３】
2004017280.tif 000005
【図４】
2004017280.tif 000006
【図５】
2004017280.tif 000007
【図６】
2004017280.tif 000008
【図７】
2004017280.tif 000009